Podtech/llm-jp-corpus-v4-ja_patent huggingface dataset:
(57)【要約】      （修正有）【課題】本考案は、チャック及び磁石を利用した、教訓的な効果を示すシャツなどの衿において、省エネ性と、新しいシャツとのありかたを提供する。【解決手段】取り替え衿の前面部分、すなわち首元の合わさる部分に磁石シート付きのシール（取り替え用衿に取り付け）で左・右を合わせ、チャックの止メ具が見えなくなるのと、ネクタイが無くてもオシャレに合わさる。【選択図】図−１
0003128256.tif 000002
【実用新案登録請求の範囲】
チャックと磁石を利用した、取り外しのできる衿。
【考案の詳細な説明】
【技術分野】
【０００１】本考案は、チャックで取り外しができ、衿元は磁石によりフックとして、とめる事ができる。
【考案が解決しようとする課題】
【０００２】衿の、汚れやすい部分を取り替えて使用すれば、本体のシャツも、より永く使用でき、その衿だけ洗えば、省エネにもなる。
【考案の効果】
【０００３】衿だけを５枚程、取り替え用として用意すれば、本体のカッターシャツなどは、少なく持参する事ができ、旅行や、出張に持参するシャツが少なくて嵩張らなくて済むし、荷物が軽くなる。
【０００４】本考案に係る取り替え衿の前面部分、すなわち首元の合わさる部分に磁石シート付きのシール（取り替え用衿に取り付け）で左・右を合わせ、チャックの止メ具が見えなくなるのと、ネクタイが無くてもオシャレに合わさる。
【図面の簡単な説明】図面の簡単な説明【０００５】
【図１】本考案に係る、取り替え衿の製造における工程図である。
【図２】本考案に係る、取り替え衿の一部を構成する、内側から見た正面図である。
【図３】本考案に係る、取り替え衿の裏から見た正面図である。
【図４】本考案に係る、取り替え衿の前面の止めた時の正面図である。
【符号の説明】
【０００６】１．……衿上部
２．……衿下部
３．……チャック
４．……シート磁石
【図−１】
0003128256.tif 000003
【図−２】
0003128256.tif 000004
【図−３】
0003128256.tif 000005
【図−４】
0003128256.tif 000006
【手続補正書】
【提出日】平成18年8月2日(2006.8.2)
【手続補正１】
【補正対象書類名】実用新案登録請求の範囲
【補正対象項目名】全文
【補正方法】変更
【補正の内容】
【実用新案登録請求の範囲】
【請求項１】
チャックと磁石を利用した、取り外しのできる衿。
(57)【要約】      （修正有）【課題】  ワタ製の通気遮断盤を、ガーゼ製のマスクに接着して呼吸による、通気を遮断して、メガネがくもらないようにする。【解決手段】  ワタ製の通気遮断盤２をガーゼでつつみガーゼ製のマスク１に接着して、それをメガネと同時使用時に通気を遮断しメガネをくもらないようにした。【選択図】図１
0003128261.tif 000002
【実用新案登録請求の範囲】
【請求項１】
ワタ製の通気遮断盤２をガーゼでつつみ、ガーゼ製のマスク１の裏側の上部には接着したマスク１と、メガネを同時に使用する時にマスクからの呼吸による、通気を遮断して、メガネがくもらないようにしたマスク。
【考案の詳細な説明】
【考案の開示】
【考案が解決しようとする課題】
【０００１】従来いわゆる、マスクやメガネは存在していたがマスクとメガネを同時に使用すると、呼吸による通気にメガネがくもりやすいという、問題点を有していた。
【課題を解決するための手段】
【０００２】上記目的を達成するためにワタ製の遮断盤を、ガーゼにつつみ、マスクの裏側の上部に接着し、メガネを使用時に呼吸による通気を遮断して、メガネがくもらないようにした。
【考案の効果】
【０００３】ワタ製の遮断盤を利用したガーゼ製のマスクを使用すればメガネはくもりがつかない、よい感覚を味わうことがてきる。
【図面の簡単な説明】
【０００４】
【図１】ガーゼ製のマスクとワタ製の遮断盤の平面図である。
【図２】ワタ製の遮断盤をガーゼでつつんだ、立体図である。
【図３】マスクに遮断盤を接着させた、断面図である。
【符号の説明】
【０００５】１  ガーゼ製のマスク。
２  ガーゼでつつんだワタ製の遮断盤。
【図１】
0003128261.tif 000003
【図２】
0003128261.tif 000004
【図３】
0003128261.tif 000005
(57)【要約】【課題】平成１２年５月１７日に公布された「高齢者、身体障害者等の公共交通機関を利用した移動の円滑化の促進に関する法律」（通称「交通バリアフリー法」）に基づく「道路の移動円滑化整備ガイドライン」によると視覚障害者誘導用ブロックは周囲の路面（ブロック）との輝度比を２程度とするとあり、２程度の輝度比を確保するためには視覚障害者誘導用ブロックの周囲のブロックは、黒系、赤系や茶系など輝度の低い色に限定されてしまう。【解決手段】視覚障害者誘導用ブロックの両端に線状の突起物と並行に幅２０ｍｍ程度の輝度の低い色合いラインを形成させることにより、視覚障害者誘導用ブロックの周囲に視覚障害者誘導用ブロックと同等の高い輝度を有するブロックを敷設することが可能な視覚障害者誘導用ブロック。【選択図】図１
0003128270.tif 000002
【実用新案登録請求の範囲】
【請求項１】
視覚障害者誘導用ブロックを形成する両端の部分において、輝度の低い色合いのラインを施し、視覚障害者誘導用ブロック自体の色とその両端のラインの色との輝度比を１．５以上とすることを特徴とする視覚障害者誘導用ブロック。
【考案の詳細な説明】
【技術分野】
【０００１】  本考案は、視覚障害者誘導用ブロックの輝度比に関する。
【背景技術】
【０００２】  従来の視覚障害者誘導用ブロックは、「道路の移動円滑化整備ガイドライン」によると黄色を基本とするとあり、市販のブロックの多くは黄色一色である。【０００３】  黄色の舗装材の輝度はメーカーにより多少異なるが１１０ｃｄ／ｍ２〜１３０ｃｄ／ｍ２程度であり、高く白色系の輝度の高いブロックなどと隣り合わせで敷設すると低い輝度比（視覚障害者誘導用ブロックの輝度÷舗装路面の輝度）となる。【０００４】  平成１２年５月１７日に公布された「高齢者、身体障害者等の公共交通機関を利用した移動の円滑化の促進に関する法律」（通称「交通バリアフリー法」）に基づく「道路の移動円滑化整備ガイドライン」によると視覚障害者誘導用ブロックは周囲の路面（ブロック）との輝度比を２程度とするとあり、２程度の輝度比を確保するためには視覚障害者誘導用ブロックの周囲のブロックは、黒系、赤系や茶系など輝度が５０ｃｄ／ｍ２〜６０ｃｄ／ｍ２程度の低い色に限定されてしまう。
【考案の開示】
【考案が解決しようとする課題】
【０００５】  そのため、バリアフリー法施行後は、輝度が７０ｃｄ／ｍ２を超える薄い色合いのブロックや黄色と同等の輝度を有する白色系のブロックとの組み合わせは困難となっている。【０００５】  言い換えるならば、視覚障害者誘導用ブロックの敷設を必要とする舗装面においては、輝度が高い舗装材の色による地域性の演出や輝度が高い安価なコンクリート平板ブロックの敷設がバリアフリー法施行後に困難となったのである。【０００７】  本考案は、視覚障害者用誘導ブロックの回りに輝度高い色合いのブロックを敷設しても視覚障害者用誘導ブロックが浮き立つようにするものである。
【課題を解決するための手段】
【０００８】  「道路の移動円滑化整備ガイドライン」によると視覚障害者誘導用ブロックは、ＪＩＳ規格に合わせて線状の突起物の本数を４本以上で、各線状の突起物の間隔は７５ｍｍ、線状の突起物の底辺の幅は２７ｍｍと定められている。【０００９】  これによると３００ｍｍ角のブロックでは線状の突起物は、７５ｍｍ×３＋２７ｍｍ＝２５２ｍｍの間に収まることとなる。全ての視覚障害者誘導用ブロックは、ＪＩＳ規格に合わせて作られていることから３００ｍｍ角のブロックでは左右に２４ｍｍ（（３００ｍｍ−２５２ｍｍ）÷２）の余白がある。【００１０】  本考案は、その余白に視覚障害者用誘導ブロック本体表面輝度の１／２以下の輝度となる概ね６０ｃｄ／ｍ２以下の色合いのラインを施し、視覚障害者誘導用ブロック本体表面（両端の線状の突起物間）の黄色を浮き立たたし１．５以上の輝度比を確保するものである。【００１１】  これにより、視覚障害者誘導用ブロックの周囲に輝度高い色合いのブロックを敷設しても視覚障害者誘導用ブロックが浮き立つこととなる。
【考案の効果】
【００１２】  こうした考案により、視覚障害者誘導用ブロックの周囲に輝度高い色合いのブロックを敷設することが可能となる。
【考案を実施するための最良の形態】
【００１３】  以下、本考案の実施の形態を図１、図２に基づいて説明する。【００１４】  視覚障害者誘導用ブロック１の両端に線状の突起物３と並行に幅２０ｍｍ程度の輝度の低い色合いライン２を形成させる。【００１５】  以上により視覚障害者誘導用ブロック１の周囲に輝度の高い色合いのブロックを敷設することが可能なブロックを形成する。
【図面の簡単な説明】
【００１６】
【図１】は、本考案の全体図である。
【符号の説明】
【００１７】１  視覚障害者用誘導ブロック
２  ライン
３  突起物
【図１】
0003128270.tif 000003
【図２】
0003128270.tif 000004
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
線状の突起物を有する視覚障害者誘導用ブロックを形成する両端の部分において、線状の突起物と並行に輝度の低い色合いのラインを施し、視覚障害者誘導用ブロック自体の色とその両端のラインの色との輝度比を１．５以上とすることを特徴とする視覚障害者誘導用ブロック。
【手続補正２】
【補正対象書類名】明細書
【補正対象項目名】００１６
【補正方法】変更
【補正の内容】
【００１６】
【図１】は、本考案の全体図である。
【図２】は、本考案の側面図である。
(57)【要約】      （修正有）【課題】外出先などで思いついたイメージなどを紙に画いて保存し、後でいつでも好きなところで確認出来るようにする。【解決手段】ヘアーメイクを志す方、または今現在、仕事をしている方が、外出先などで思いついたヘアーメイクのイメージを画き留め、メイクは自分の化粧用品（べたつく口紅などは避ける）などで練習が出来、身近にあるものを使用すれば余計な出費もかからず、ヘアーは鉛筆などで自由に思いついたものを画き、自分なりに構想も練られ、ノート形式（裏表１０頁程度）なので、カバンにも入り、気軽に持ち歩け、しかも消去することなく保存する事が出来るものを提供するものとする。【選択図】図１
0003128262.tif 000002
【実用新案登録請求の範囲】
【請求項１】
ヘアーメイクを志す方、または今現在、仕事をしている方が、外出先などで思いついたヘアーメイクのイメージを画き留められる、メイクは自分の化粧用品（べたつく口紅などは避ける）など、身近にあるものを使用すれば余計な出費もかからず、ヘアーは鉛筆などで自由に思いついたものを画き、自分なりに構想も練られ、ノート形式（裏表１０頁程度）なので、カバンにも入り、気軽に持ち歩け、保存も出来ることを特徴とした、プロのメークアップイメージレッスンノート。
【考案の詳細な説明】
【技術分野】
【０００１】  本考案はメイクアップのプロを志す方、又はプロで仕事をしている方へのテキストノートである。
【背景技術】
【０００２】  従来の練習用では相モデル（勉強仲間）・モデルウィック（頭部）等を使用して練習するものでした。
【考案の開示】
【考案が解決しようとする課題】
【０００３】  Ａ４版の紙に、ヘアーは鉛筆などで自由に思いついたものを画き、自分なりに構想も練られ、ノート形式（裏表１０頁程度）なので、カバンにも入り、気軽に持ち歩け、今までの不自由を解決しようとするものである。
【課題を解決するための手段】
【０００４】  ノート形式（裏表１０頁程度）なので、カバンにも入り、気軽に持ち歩け、保存も出来て、いつでもどこでも見ることが出来、従来のウィックなどの持ち運びもなく、問題点の解決になる。
【考案の効果】
【０００５】  上述のように、本考案のプロのメークアップイメージレッスンノートは、従来のメイクアップ練習方法と大きく違い、手軽に持ち歩き一度画いたものを消去することなく、今後の仕事、また、他の人への説明することが出来、大変役立つ。
【考案の実施するたもの最良の形態】
【０００６】  これから、ヘアーメイクを志す方、または今現在仕事に従事している方が持ち歩きやすく、活用しやすく、また、他の人に後日、説明も出来、保存してあとあと活用出来る。
【実施例】
【０００７】  以下、添付図面に従って実施例を説明する。１は顔の形（目鼻口耳だけ眉はガイドラインのみ）頭部は点線で輪郭のみ、２は後ろ頭を小さくし、後姿のヘアースタイルも同じ紙上に画けるようにする。３は使用した化粧メーカーの書き込み、４、４ａは参考として化粧品の名称、５は画いたものを使用する場所を書き込めるようにする、６は何系（イメージ）等書き込めるようにする、その際下段に参考として小文字でイメージを書いた。【０００８】  ５は例えば撮影場所、結婚式場、遊び場所等そこでのヘアーメイクのイメージを画く。【０００９】  本考案の実施例は上述の如き構成からなるものであるから、これからメイクアップを志す方、またプロの方は勿論であるが、一般の方に対しても塗り絵感覚で、楽しめるものである。
【図面の簡単な説明】
【００１０】
【図１】  本考案のＡ４版のプロのメイクアップイメージレッスンノートの使用方法である。
【符号の説明】
【００１１】１  顔前面
２  後頭部
３  使用した化粧メーカーの書き込み
４  参考として左右に、化粧品の名称
５  イメージで画いたものを使用する場所
６  何系（イメージ）等、その際下段に参考として小文字でイメージを書いた
【図１】
0003128262.tif 000003
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
ヘアーメイクを志す方、または今現在、仕事をしている方が外出先などで思いついたヘアーメイクのイメージを画き留められるようにした、構造は中央に前頭部顔面、目鼻口を書き、眉はガイドラインとして点を眉頭、眉山、眉尻の３箇所のみ表示、頭部は点線で輪郭のみ、右下に前頭部顔面の約４分の１程度の大きさの後頭部を点線に書いたものを表示し、ヘアースタイルを自由にデザインを画き入れられるようにした、また、参考として、中央前頭部の両脇には使用するメイク用材料の名称を書き、上段左にはメイクのイメージを書き入れられるように枠を設けた、その下段には小文字で参考イメージとする言葉を書いた、上段右には使用する場所、シュチュエーションを書き入れられるように枠を設けた、下段中央には使用したメイク用品を書き留められるように枠を設けた、その際３行を参考として書き入れ、残りの空白枠には使用したメイク用品等を書き入れられるようにした、自分の持っているメイク用品など使用し、べたつく口紅などは避けるなどして身近にあるものを使用すれば余計な出費もかからずヘアーは鉛筆などで自由に思いついたものを画き入れられ、自分だけのオリジナルメイク・ヘアーのデザインの保存もでき、ノート形式裏表１０頁程度なのでカバンにも入り気軽に持ち歩け、場所を選ばずに使用できるものを特徴としたプロのメークアップイメージレッスンノート。
(57)【要約】      （修正有）【課題】本考案は吸盤頂上凹部とピン部の凸部の間に掲示物を置いてピンを挿入し掲示を手軽にできる吸盤に関するものである。【解決手段】画びょうに類似したピン部凸部（１）の挿入部の先端部に球状（ａ）を設け吸盤体の頂上部に設けた凹部（２）の挿入先の先端に球状の空間（ｂ）を設ける。【選択図】図１
0003128265.tif 000002
【実用新案登録請求の範囲】
【請求項１】
（イ）画びょうに類似したピン部凸部１と吸盤体の頂上部に設けた凹部２を個々に設ける。
（ロ）画びょうに類似したピン部凸部１を吸盤体の頂上部凹２に挿入させる。
以上の如く構成された、吸盤体の凹部に掲示物を置いてピン部凸を挿入させると吸盤部とピン部の間に挟まれた掲示物は密着度を増し当該吸盤は掲示用道具となる。
【考案の詳細な説明】
【技術分野】
【０００１】この考案は、掲示物を吸盤の頂上凹部とピン部凸との間に挟み込む掲示用の道具に関するものである。
【背景技術】
【０００２】従来掲示する手段として吸盤の頂上部に設けた穴や溝に紐や棒等で掲示物を止めて使用していた。つまり付属品を必要とするからコストもかかる。
【考案の開示】
【考案を解決するための手段】
【０００３】本案はその欠点を除いて手軽にしかも興味ある掲示用道具となる吸盤を開発しようとするものである。
【課題を解決するための手段】
【０００４】  いまその解決手段を図面に追いながら説明すれば、
（イ）画びょうに類似したピン部凸部１の挿入部の先端部に球状ａを設ける。
（ロ）吸盤体の頂上部に設けた凹部２の先端に球状の空間ｂを設ける。
（ハ）球状を設けることにより挿入した凹凸部は風圧等でも離れにくくなり一層密着性も高まる。
【作用】
【０００５】本案は、以上のような構造であるから、これを使用するときは、吸盤の頂上部の凹部にピン部凸部を挿入させるだけで良い。掲示用の道具だから掲示物を挟み込み本案のみで簡単に掲示可能となる。
【実施例】
【０００６】  なお、本考案の実施に当たって次の如きことができる。
（イ）吸盤の頂上の凹部とピン部凸部の間に掲示物を挟みピン部凸部を吸盤頂上部凹に挿入した掲示用道具。
（ロ）吸盤部は弾力性のある樹脂。ピン部はプラスチックでや金属で構成する。
【考案の効果】
【０００７】  したがって、他の付属品はいらなくなり、かつ、簡単に掲示できコストも下がる。
【図面の簡単な説明】
【０００８】
【図１】本考案の正面図
【図２】本考案の正面図
【図３】本考案の正面実施図
【符号の説明】
【０００９】１  は画びょうに類似したピン部凸部
２  は吸盤体の頂上部に設けた凹部
ａ  は画鋲に類似したピン部先端部の球情部
ｂ  は吸盤体の頂上部に設けた凹部の先端に設けた球状の空間部
ｃ  掲示物
ｄ  実施図
【図１】
0003128265.tif 000003
【図２】
0003128265.tif 000004
【図３】
0003128265.tif 000005
【手続補正書】
【提出日】平成18年10月2日(2006.10.2)
【手続補正１】
【補正対象書類名】実用新案登録請求の範囲
【補正対象項目名】全文
【補正方法】変更
【補正の内容】
【実用新案登録請求の範囲】
【請求項１】
吸盤の吸着面の外形である吸盤皿の頂上に突起物を設け、
突起物の中心に立穴を設け、
立穴に挿入させるため円盤体の中心部に突起物を設けた画鋲に似ているピンを設け、
吸盤皿の頂上の中心部の立穴に円盤体の中心部の突起物を挿入し一体化させ、前記吸盤と前記円盤体の突起物を組み合わせた密着型吸盤。
(57)【要約】【課題】  電動ドライバー等を用いてボルトの脱着作業を行う時に作業不可能な部分を出来るだけ無くそうとするものである。【解決手段】  構造１０の様に、ウォームギアーとウォームホイールを使って、電動ドライバー８の回転軸芯を直角方向に変えた。ボルトナット９の様な既存のボックススパナ６では脱着できないものでも考案品７を使えば脱着可能である。【選択図】図２
0003128263.tif 000002
【実用新案登録請求の範囲】
【請求項１】
電動ドライバーのアタッチメントにウォームギアーを用いて回転軸芯を変える。
【考案の詳細な説明】
【技術分野】
【０００１】本考案は電動ドライバー等に装着して、狭い場所のボルトの脱着作業を容易にする為のアタッチメントである。
【技術背景】
【０００２】従来は電動ドライバー等にボックススパナを装着してボルトの脱着作業を行う際、場所によっては電動ドライバー本体が邪魔になる為に電動による作業を断念し、手作業に依って行っている。
【考案の開示】
【考案が解決しようとする課題】
【０００３】電動ドライバー等を用いてボルトの脱着作業を行う時に作業不可能な部分を出来るだけ無くそうとするものである。
【課題を解決するための手段】
【０００４】既存のボックススパナ６は電動ドライバー８の回転軸と同芯の回転軸であるが、ウォームギアー２とウォームホイール３を利用して、本考案品７には電動ドライバー８と直角方行の回転軸芯を持たせた。
ウォームホイール３は開口ボックススパナ部５を持つ形状にした。
【考案の効果】
【０００５】いま、ボルトナット９の様な既存の電動ドライバー用ボックススパナ６では脱着出来ない場所にあるボルトナットを脱着する場合、本考案品７を電動ドライバー８に装着して使用すればこの脱着作業を行うことが出来る。
【図面の簡単な説明】
【０００６】
【図１】本考案の構造を説明する透視図である。
【図２】本考案の使用例である。
【符号の説明】
【０００７】  １  フレーム（本考案の部品）
２  ウォームギアー（本考案の部品）
３  ウォームホイール（本考案の部品）
４  装着軸（本考案の部品）
５  開口スパナ部（本考案の構成部）
６  既存のボックススパナ
７  本考案品
８  電動ドライバ−
９  ボルトナット
１０  本考案の構造
【図１】
0003128263.tif 000003
【図２】
0003128263.tif 000004
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
ウォームギアーの回転をウォームホイールに伝達する事により回転軸芯を変える事が可能な電動ドライバー用ボックススパナ。
(57)【要約】【課題】  牛乳パックなどの紙パックを展開する際、そのパッケージに記載してある展開図通りにはさみで１辺１辺を切って展開していたが、鋏を使わずに、簡単に底面までを切り開く点である。【解決手段】  リサイクルの為の展開例として牛乳パックに記載してある展開図に囚われずに、本体の両端にカッターの刃を設置し、それを紙パックの口の２辺に合わせて、側面から底面までを一気に切り開く。刃は、安全面を考慮して、グリップ部のプッシュボタンを押すと突出し、離すとグリップの中に戻り収納される。【選択図】図２
0003128267.tif 000002
【実用新案登録請求の範囲】
【請求項１】
紙パックの口の２辺にカッターの両刃を合わせて、側面から底面までを一気に切り開くことができ、また安全に使用、収納ができるように、両刃はプッシュボタンを押すと突出し、離すとグリップの中に戻る牛乳パックなどの紙パック展開カッター。
【考案の詳細な説明】
【技術分野】
【０００１】  本考案は、牛乳パックなどの紙パック展開カッターに関するものである。
【背景技術】
【０００２】  牛乳パックなどの紙パックは、使用後、資源ごみに出すが、その際、そのパッケージに記載してある展開図通りにはさみで１辺１辺を切って展開している。本考案に近い考案は次の通りである。
【特許文献１】特開平０９−第２４１６９号公報
【特許文献２】特開２００１−第７９２８２号公報
【特許文献３】実用登録第３０３６０５３号公報
【考案の開示】
【考案が解決しようとする課題】
【０００３】  解決しようとする問題点は、牛乳パックなどの紙パックを展開する際、そのパッケージに記載してある展開図通りにはさみで１辺１辺を切って展開していたが、鋏を使わずに、簡単に底面までを切り開く点である。
【課題を解決するための手段】
【０００４】  本考案は、リサイクルの為の展開例として牛乳パックに記載してある展開図に囚われずに、本体の両端にカッターの刃を設置し、それを紙パックの口の２辺に合わせて、側面から底面までを一気に切り開く。刃は、安全面を考慮して、グリップ部のプッシュボタンを押すと突出し、離すとグリップの中に戻り収納されることを特徴とする。
【考案の効果】
【０００５】  本考案の牛乳パックなどの紙パック展開カッターは、パックの使用後、１辺１辺に鋏を入れて切り開いていた手間を省き、側面から底面までを一気に簡単に紙パックを展開することが出来るので、資源ごみに出す際の作業を手軽に行えるという利点がある。
【考案を実施するための最良の形態】
【０００６】  符号を用いて説明すると、本考案の本体の幅は、紙パックの口の１辺に合わせた長さであり、その両端にカッターの刃（２）（２ａ）を設置する。【０００７】  カッターの刃は、グリップ部（４）（４ａ）のプッシュボタン（３）（３ａ）を押すと突出し、離すとグリップの中に戻る。
【産業上の利用可能性】
【０００８】  用途としては、リサイクル処理に適用し得る。
【図面の簡単な説明】
【０００９】
【図１】  牛乳パック展開カッターの実施方法を示した説明図である。
【図２】  平面図である。
【図３】  断面図である。
【図４】  グリップ部である。
【図５】  牛乳パックの展開図である。
【符号の説明】
【００１０】１    本体プレート
２    カッターの刃（右）
２ａ  カッターの刃（左）
３    プッシュボタン（右）
３ａ  プッシュボタン（左）
４    グリップ（右）
４ａ  グリップ（左）
５    牛乳パック
【図１】
0003128267.tif 000003
【図２】
0003128267.tif 000004
【図３】
0003128267.tif 000005
【図４】
0003128267.tif 000006
【図５】
0003128267.tif 000007
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
本体の幅は、紙パックの口の１辺に合わせた長さであり、その両端にカッターの刃を設置し、両刃はグリップ部のプッシュボタンを押すと突出し、離すとグリップの中に戻ることを特徴とする牛乳パックなどの紙パック展開カッター。
【手続補正３】
【補正対象書類名】明細書
【補正対象項目名】０００４
【補正方法】変更
【補正の内容】
【０００４】      本考案は、リサイクルの為の展開例として牛乳パックに記載してある展開図に囚われずに、紙パックの口の１辺に合わせた長さの本体の両端にカッターの刃を設置して、側面から底面までを一気に切り開き、刃は、安全面を考慮して、グリップ部のプッシュボタンを押すと突出し、離すとグリップの中に戻り収納されることを特徴とする。
【手続補正４】
【補正対象書類名】明細書
【補正対象項目名】０００９
【補正方法】変更
【補正の内容】
【０００９】
【図１】断面図である。
【図２】牛乳パック展開カッターの実施方法を示した説明図である。
【図３】平面図である。
【図４】平面図である。
【図５】グリップ部である。
【図６】牛乳パックの展開図である。
【手続補正５】
【補正対象書類名】図面
【補正対象項目名】全図
【補正方法】変更
【補正の内容】
【図１】
0003128267.tif 000008
【図２】
0003128267.tif 000009
【図３】
0003128267.tif 000010
【図４】
0003128267.tif 000011
【図５】
0003128267.tif 000012
【図６】
0003128267.tif 000013
(57)【要約】      （修正有）【課題】硝子円柱を製作するにあたり製作方法を改良することにより従来かかる製作コストを下げ天然資源の有効利用を目的とした硝子製品を提供する。【解決手段】市場に流通する板硝子を積層接着し、その硝子ブロックを高速回転させながら高速回転させた研磨機により研磨することにより製作する。【選択図】図１
0003128264.tif 000002
【実用新案登録請求の範囲】
【請求項１】
板硝子を積層する事により製作される円柱形状の造形物
【考案の詳細な説明】
【技術分野】
【０００１】この考案は、板硝子を積層接着し立体化した物を表面研磨することにより円柱形状にする工法に関する物である。
【背景の技術】
【０００２】従来、硝子の大型円柱造形物を作成するには、製作する造形物よりも大きな元型になる大きな硝子ブロックを作成しそれを直接研磨することにより作成されていた。
その為、大きな元型を作成する為に大型の工場施設と大きなエネルギーを要していた。
その上で研磨作業に当たっては、時間と労力を大きく消費し制作に関しては、非常にコスト及び労力を要し大量生産が不可能であった。
【考案の開示】
【考案が解決使用とする課題】
【０００３】本案は、その欠点を除いて小規模な製作施設と天然資源の浪費及び環境破壊の少ない硝子造形物を製作する工法である。
しかも製作の原価を少なくする為の工法を開発する物である。
【課題を解決するための手段】
【０００４】その解決手段を下記のように図面を追いながら説明する。
（イ）市場に流通する板硝子（厚み４〜２５ｍｍ程度）の物を任意の大きさにした後で、複数枚を積層接着し硝子のブロックを製作する。［図１］
（ロ）接着剤が完全に固まったら加工機械にセットし加工対象物の硝子ブロックをＡ方向へ高速回転させながらＢ方向へ高速回転する研磨機をＣ方向に移動させながら本体を研磨する［図２］
（ハ）任意の大きさに研磨されたら加工機より取り外し、加工機械との接点を研磨仕上げをする。
【考案の効果】
【０００５】本案は以上のような製造方法であるから、硝子の大型円柱を簡単に製造することが出来る。
その事により製作原価を下げる事と余計な労力及び工場施設を作ることにより天然資源の無駄使いを押さえることに貢献する材料である。
【０００６】なお、本考案の実施に当り次のような事が可能である。
（イ）表面研磨により製作される為非常に仕上げ面の美しい製品となる。
（ロ）［図２］の加工機の調整により自由な寸法にて硝子円柱が製作可能なので非常にフレキシブルな注文にも対応できる。
【考案を実施するための最良の形態】
【０００７】したがって、コストと天然資源の使用を減少させる事が出来る。
【産業上の利用の可能性】
【図面の簡単な説明】
【０００８】
【図１】積層接着する状態説明
【図２】加工機の加工製品に対する状態説明
【図１】
0003128264.tif 000003
【図２】
0003128264.tif 000004
(57)【要約】      （修正有）【課題】裸状態で使用せず、粉末の飛散や脱着能力の低下を防止することができ、簡単簡潔にてどんな用途や場所にも使用できるマグネットを提供する。【解決手段】Ａ固定部１を設けた樹脂容器２にマグネット３を入れて設け、これをＢ固定部４を設けた樹脂容器蓋５で完全密閉にしてマグネットを装着する。裸状態で使用されないため、汚れることなく、錆びることを防止することができる。このため、粉体の飛散を防止でき、半導体工場等のクリーンルームにおいて利用することができる。【選択図】図２
0003128295.tif 000002
【実用新案登録請求の範囲】
【請求項１】
Ａ固定部（１）を設けた、樹脂容器（２）にマグネット（３）を、入れて設け、これをＢ固定部（４）を設けた、樹脂容器蓋（５）で完全密閉にしてマグネットを装着した、樹脂密閉マグネット。
【考案の詳細な説明】
【技術分野】
【０００１】  本考案は、マグネットの欠点を解消し、使い易さと多目的用途に利用する技術に関するものである。
【背景技術】
【０００２】  現在、ほとんどのマグネットは裸のままで利用されている。
【考案の開示】
【考案が解決しようとする課題】
【０００３】  最近、マグネットの利用方法は多様化されて来て、脱着する状態にしたい時にはマグネットは、非常便利で良い手段であるが、湿度の高い場所や薬品など気化するような環境、その他クリンルームのような環境等、マグネットの腐食や脱着能力の低下あるいはマグネット自体の粉末飛散等、いろいろ細かい問題も提議されている。また、過去にはこれらの対処として、２００１−２５０７１４のマグネットキャッチ、その他Ｓ６３−１０８７０２、Ｈ１−４９４４６、Ｈ３−７７６５８等が出願されているが、どれも帯磁前のマグネット素材を樹脂成型して、樹脂内部に封入してから、後で帯磁させて、樹脂等で密閉したマグネットにする方法を取っている。しかし、マグネットの素材を樹脂成型で密閉するのは、大変な特殊金型を製作する必要があり、また成型後に磁気を帯磁させる必要もあり。最初から帯磁されてる、一般的なマグネットを、密閉しての成型はなおさら技術的に困難である。つまりコストが非常に高いものになり、一般には普及されていない。
本考案は、このような問題を改善する為になされたものである。
【課題を解決するための手段】
【０００４】  まず、Ａ固定部（１）を設けた樹脂容器（２）を、成型にて形成する。またこの樹脂容器（２）を密閉するための、Ｂ固定部（４）を設けた樹脂容器蓋（５）を、成型にて形成する。次に樹脂容器（２）にマグネット（３）を入れて設け、これを樹脂容器蓋（５）でもって、Ａ固定部（１）とＢ固定部（４）で固定して完全密閉にマグネット（３）を装着する。、
本考案は以上のような構成による、樹脂密閉マグネットである。
【考案の効果】
【０００５】  １．普通の金型成型で一度に多量に、樹脂容器等が形成できるので、ローコストに完全密閉マグネットを市場に提供することできる。
２．完全にマグネットは樹脂で密閉されているので、錆びおよび腐食が無くなりまた、各種の埃等の付着も無くなり、したがってマグネットの劣化も無くなり接合部の安定と、清潔度合いを維持する。
【考案を実施するための最良の形態】
【０００６】  従来のマグネットと云えば、裸状態で使用されているので、汚れるし、錆びるしその埃等も重なり、性能劣化等も生じている。また、マグネットの接触面からは、その接触摩擦により、その粉体やかけら等も微量ながら空中に飛散するので、半導体工場等のクリンルームでの利用は、不可である。
まず、Ａ固定部（１）を設けた樹脂容器（２）を、インジェクション成型にて形成する。また同じく、Ｂ固定部（４）を設けた樹脂容器蓋（５）を、インジェクション成型にて形成する。つぎに樹脂容器（２）にマグネット（３）を入れて設け、これを樹脂容器蓋（５）でもって、Ａ固定部（１）とＢ固定部（４）で固定して、完全密閉にマグネット（３）を装着する。
本考案は以上のような構成であり、これを使用せんとするときには、【０００７】  普通のマグネットと同じ取り扱いであり、クリンルーム内に設置されている、ボックスやケースの扉の開閉部分、風呂場のような高湿度の場所に設置されるものや、化学薬品等の雰囲気の悪い環境に設置されているものに使用するとか、粉塵等の多い工場の仕切カーテンの開閉接点として利用したり、多目的に使用される。
【図面の簡単な説明】
【０００８】
【図１】  本考案の斜視図である。
【図２】  本考案の説明図である。
【符号の説明】
【０００９】  １  Ａ固定部
２  樹脂容器
３  マグネット
４  Ｂ固定部
５  樹脂容器蓋
【図１】
0003128295.tif 000003
【図２】
0003128295.tif 000004
(57)【要約】【課題】  印刷設備を持たないカメラ店でも容易に作成できるアルバムを提供する。【解決手段】  写真やイラスト、文字をレイアウトし焼き付けされた印画紙を貼り合わせることにより作成する。【選択図】図１
0003128298.tif 000002
【実用新案登録請求の範囲】
【請求項１】
写真やイラスト、文字をレイアウトして焼き付けた印画紙を谷折りし、それを複数枚背中合わせに貼り付けたものを本体部分とし、それにインクジェット紙で出力したものをラミネート加工し製本カバーとして作成したものに挟み込み貼り合わせた、印画紙を使った製本を可能とするアルバムである。
【考案の詳細な説明】
【技術分野】
【０００１】  本考案は、カメラ店でも作成可能なアルバムに関するものである。
【背景技術】
【０００２】  デジタルカメラが普及し、カメラ店にもデジタルデータを焼き付けする機器を設置する店が増え、それによりパソコンで写真やイラスト、文字をレイアウトし加工したデジタルデータを印画紙に焼き付けすることが可能となった。
【考案の開示】
【考案が解決しようとする課題】
【０００３】  従来、カメラ店では規格品であるサイズの印画紙に一枚の写真しか焼き付けることができなかった。カメラ店のお客は市販のアルバムを購入し、それを貼り付けて保存していた。しかし、そのアルバムは一般的に大きく重いものであり、持ち運んで他人に見せるということはしなかった。しかも、写真は家族や子ども達の成長の記録であるが、最近のお母さん達は忙しく、写真をアルバムに貼って整理することをしないとも聞き及んでいる。【０００４】  昨今の少子化により保育園、幼稚園や小中学校では卒業生の人数が減り小規模校では卒業生が１０人に満たないという施設も増えてきた。３０人未満では、カメラ店や写真館がそのような施設に出向いて写真を撮り卒業アルバムを作成すると、生徒一人あたりの作成単価が１万円を超えることとなり父兄の負担が多大になってきた。【０００５】  カメラ店では、デジタルカメラの普及によりフィルムが売れなくなり、フィルムの現像代も無くなってしまい売り上げが大幅に下がってしまった。しかも、お客が市販のカラープリンター等を使用し自宅で写真を印刷することができるようになりカメラ店への来店頻度が下がることにより売り上げが下がってしまった。
【課題を解決するための手段】
【０００６】  写真やイラスト、文字をレイアウトして焼き付けた印画紙を谷折りし、それを複数枚背中合わせに貼り付けたものを本体部分とし、それにインクジェット紙で出力したものをラミネート加工し製本カバーとして作成したものに挟み込み貼り合わせた、印画紙を使った製本を可能とするアルバムである。
【考案の効果】
【０００７】  お客にとっては、あるテーマごとに一冊のアルバムとなり、表紙や背表紙にそのテーマを書き入れることにより本棚等にでも整理が容易である。また、写真を時間順にレイアウトするために旅行や行事等の記憶が鮮明になる。さらに、製本カバー以外は厚紙等の台紙を使用せず印画紙のみで作成するために比較的に軽く、サイズを小さめに作成することにより女性のハンドバッグやカバンに入れて持ち歩くことができる。【０００８】  カメラ店に設置してある焼付機は、一般的に縦２５４ミリ、横３８０ミリのワイド四切と言われるサイズが最大サイズであるが、横３８０ミリを中央で折り曲げることにより縦２５４ミリ、横１９０ミリのＡ４サイズより若干小さめのアルバムが作成できる。これを使用し、カメラ店や写真館から出向いて写真を撮ることをせずに、保育園、幼稚園や小中学校の先生方が撮影した写真を使いレイアウトして卒業アルバムを作成すれば、撮影の出張費やアルバムを作成するための外注費が大幅に削減され安価に、しかも印画紙を使用するために高品質の卒業アルバムを提供できる。【０００９】  カメラ店にとっては、規格品であるサービスサイズの低価格競争にも巻き込まれず、手作りである手間を考慮しなければ原材料原価は安価となり利益率は高い。また、良く仕上がった製品を手にしたお客からは感謝されることが多く従業員の士気が高まる。
【考案を実施するための最良の形態】
【００１０】  図１のように、写真をレイアウトし焼き付けされた複数枚の印画紙（１）を谷折りし片面ずつ背中合わせに貼り併せていく。貼り合わせたものを表表紙（４）、背表紙（３）、裏表紙（２）が一体になった製本カバーに挟み込み貼り合わせる。
【図面の簡単な説明】
【００１１】
【図１】本考案の斜視図である
【図２】本考案の完成図の斜視図である
【符号の説明】
【００１２】１  写真やイラスト、文字をレイアウトし焼き付けされた印画紙
２  製本カバーの裏表紙
３  製本カバーの背表紙
４  製本カバーの表表紙
【図１】
0003128298.tif 000003
【図２】
0003128298.tif 000004
(57)【要約】      （修正有）【課題】強化した瓦座の構造を提供する。【解決手段】瓦座３０はその平台３１の両側に縦リブ３２を設け、該縦リブ３２により瓦座３０の縦方向の強度を強化し、２つの縦リブ３２の間に複数の横リブ３３を設け、該横リブ３３を利用して瓦座３０の横方向の強度を増加している。また、前記瓦座３０の両側の支持部３４の底部には、複数の排水孔３５を設け、前記瓦座３０が鋼釘を打ち込まれるとき、屋根の防水層が固定され、排水孔３５が屋根において適当な間隔で保持され、瓦が漏水を発生したとき、雨水が防水層と瓦座３０との間に積水することがなく、排水孔３５から排出され、雨水が溢れて防水層を透過することを防止するだけではなく、防水層の使用寿命を延長することができるようになっている。【選択図】図３
0003128300.tif 000002
【実用新案登録請求の範囲】
【請求項１】
瓦座の平台上に２つの縦リブを設け、この２つの縦リブの間に複数の横リブを設け、前記縦横のリブによって瓦座の強度を増加したことを特徴とする瓦座の構造。
【請求項２】
前記瓦座の両側の支持部には排水孔を設けたことを特徴とする請求項１記載の瓦座の構造。
【考案の詳細な説明】
【技術分野】
【０００１】
本考案は、屋根瓦を固定する瓦座の構造に関する。
【背景技術】
【０００２】
現在、瓦に覆蓋される住宅は、先ず屋根の畝に防水層を覆蓋し、この防水層上に鋼釘を利用して瓦を屋根上に固定し、前記瓦上にコンクリートまたは粘着材料を塗布した後、瓦を瓦座に固定している。
【０００３】
図１，２は従来の瓦座の釘止めを示す概略図である。瓦座１０は鋼釘１３の釘打ちを受けるとき、該瓦座１０の平台が下方に凹み易く、同時に両側の支持部１２も容易に外部拡張現象が発生し、前記支持部１２の外部拡張は更に屋根全体の構造の安全と強度に影響を及ぼす。
【０００４】
この現象を回避するため、瓦座２０の設計は、該瓦座２０の断面が、正方形に設計され、鋼釘１３が釘打ちされるとき、平台２１が下方に凹むが、該瓦座の両側は外部拡張現象が発生せず、屋根の強度および安全性を確保するようになっている。
【０００５】
しかしながら、前記瓦座の設計は、外観は美観があるが、表面が滑らかのため施工上の危険があるとともに、品質上の問題がある。
【０００６】
１．   瓦座に鋼釘を打ち込む時、該瓦座に変形が発生して瓦の覆蓋する品質が理想的なものとならない。
【０００７】
２．   瓦座が滑らかであり施工者が踏んだ時に滑り易く、これは作業時の安全性の点で大きな問題である。
【０００８】
３．   瓦座及び瓦の間のコンクリートまたは接合材料の接合性が良好ではなく、瓦を最適に固定する効果を達成できない。
【０００９】
４．   瓦座本体の強度も良好ではなく、容易に変形する。
【考案の開示】
【考案が解決しようとする課題】
【００１０】
本考案、瓦座上に縦横の強化リブを設け、このリブの設置により、瓦座本体の強度を増加して容易に変形が生じないようにすると共に、コンクリートまたは粘着材料を縦横交錯するリブに配合し、コンクリートまたは粘着材が瓦座と最適な粘着効果を達成し、さらに瓦座が過度に滑らかである問題を解消した瓦座の構造を提供することを目的とする。
【課題を解決するための手段】
【００１１】
本考案の瓦座の構造は、該瓦座の平台上に２つの縦リブを設け、２つの縦リブの間に複数の横リブを設け、前記縦横のリブにより瓦座の強度を増加し、瓦座が変形しないようにする。
【００１２】
また、前記瓦座の両側の支持部には、排水孔を設けている。
【考案の効果】
【００１３】
本考案は材質に制限されず、形状の変化を利用し瓦座の強度を増強し、コンクリートまたは粘着材料の付着力を増加させ、更に屋根全体の構造の強度を増加させることができる。
【考案を実施するための最良の形態】
【００１４】
以下、図面を参照して本考案野実施例を説明する。
【実施例】
【００１５】
図３は、本考案の好適な実施例の瓦座の立体構造図であり、瓦座３０はその平台３１の両側に縦リブ３２を設け、該縦リブ３２により瓦座３０の縦方向の強度を強化し、２つの縦リブ３２の間に複数の横リブ３３を設け、該横リブ３３を利用して瓦座３０の横方向の強度を増加している。
【００１６】
鋼釘が瓦座３０の平台３１上から打ち込まれるとき、前記横リブ３３は、平台３１の平行を保持させ、従来の瓦座の平台が有する問題を改善している。すなわち、瓦座３０は、支持部３４が外部に拡張する現象を回避し、同時に前記横リブ３３が該瓦座３０の縦方向の強度の不足を補い、かつ縦リブ３２が縦方向の補強の効果を有するものである。
【００１７】
また、前記瓦座３０の両側の支持部３４の底部には、複数の排水孔３５を設け、前記瓦座３０が鋼釘を打ち込まれるとき、屋根の防水層が固定され、排水孔３５が屋根において適当な間隔で保持され、瓦が漏水を発生したとき、雨水が防水層と瓦座３０との間に積水することがなく、排水孔３５から排出され、雨水が溢れて防水層を透過することを防止するだけではなく、防水層の使用寿命を延長することができるようになっている。
【００１８】
前記のように、縦、横リブ３２，３３の設置が、瓦座の平台１表面に高低の交錯する凹凸形状を形成し、該平台３１が、コンクリートまたは粘着材料を塗布して瓦と接合するとき、コンクリートまたは粘着材料及び瓦座３０の付着性を増加させ、該瓦座３０と瓦との緊密な粘着性を向上している。
【００１９】
なお、本考案では好ましい実施例を前述の通り開示したが、これらは決して本考案を限定するものではなく、当該技術を熟知する者なら誰でも、本考案の精神と領域を脱しない均等の範囲内で各種の変更や着色を加えることができることは勿論である。
【図面の簡単な説明】
【００２０】
【図１】従来の瓦座釘止め構造を示す概略図である。
【図２】他の従来の瓦座釘止め構造を示す概略図である。
【図３】本考案の好適な実施例の瓦座を示す立体構造図である。
【符号の説明】
【００２１】
１０、２０、３０ 瓦座
１１、２１、３１ 平台
１２、３４ 支持部
１３ 鋼釘
３２ 縦リブ
３３ 横リブ
３５ 排水孔
【図１】
0003128300.tif 000003
【図２】
0003128300.tif 000004
【図３】
0003128300.tif 000005
(57)【要約】【課題】  短くなってくる鉛筆を、常に使いやすい、一定の長さで利用できる鉛筆補助用具を提供する。【解決手段】  円筒形の補助用具の両端に、切り込みを入れた差し込み口を設け、片側はネジ式締め輪を嵌める。反対側には、鉛筆キャップを内側に組み込み鉛筆止めにした補助用具である。この補助用具は２本を一組とし、それぞれ差し込みの深さを変え、鉛筆の消耗に合わせて４段階に鉛筆を差し替え、使用しやすいようにしたのを特徴とする鉛筆補助用具である。【選択図】図１
0003128296.tif 000002
【実用新案登録請求の範囲】
【請求項１】
円筒形の鉛筆補助軸の両端に、切り込みを入れた鉛筆の差し込み口を設け、片側はネジ式の締め輪を嵌め、反対側の差し込み口は、鉛筆キャップ形状の鉛筆止めを内側に組み込み、２本の補助軸を一組として使用し、補助軸２本の鉛筆挿入部は、それぞれ深さを変え、片側に脱着できる消しゴムをつけたのを特徴とする鉛筆補助用具。
【考案の詳細な説明】
【技術分野】
【０００１】  この考案は、鉛筆の補助用具に関するものである。
【背景技術】
【０００２】  従来、鉛筆の補助用具では、用具の片側を利用するものがあった。
【考案の開示】
【考案が解決しようとする課題】
【０００３】  使用する鉛筆の長さによっては、鉛筆がうまく固定せず、鉛筆に揺れが生じ、文字など書きにくい欠点があった。
本考案は以上の問題点を解決するためになされたものである。
【課題を解決するための手段】
【０００４】  円筒形の鉛筆補助軸の両端に、切り込みを入れた鉛筆の差し込み口を設ける。
片側はネジ式の締め輪を嵌め、反対側の差し込み口は、鉛筆キャツプ形状の鉛筆止めを内側に組み込む。２本の補助軸を一組として使用し、軸２本の鉛筆挿入部は、それぞれ深さを変え、片側に脱着できる消しゴムをつけたのを特徴とする鉛筆補助用具である。
【考案の効果】
【０００５】  鉛筆補助軸は、深さの違う鉛筆挿入部に、鉛筆の消耗度に合わせ、段階的に入れ替える事により、鉛筆は常に使いやすい一定の長さで筆記できる利点がある。
【考案を実施するための最良の形態】
【０００６】  以下、本考案の実施の形態について説明する。
円筒形の補助軸１の両端に切り込み２をいれた鉛筆の差し込み口３を設ける。
補助軸１の片側は、鉛筆を差し込んだ後、ネジ式の締め輪４で締め付け、鉛筆を固定する。また、反対側の差し込み口３には、鉛筆キャップ形状５の鉛筆止めを組み込む。この鉛筆軸１の長さは約１０センチとし、２本を一組として使用する。
（イ）Ａ軸、約３センチのネジ式の締め輪４をつけた差し込み口３は、鉛筆の挿入部の深さを約５・５センチ（１１）、反対側のキャップ形状部５は約２・５センチ（１２）とし、軸１の中央は約２センチ（１３）の空間部を設ける。
（ロ）Ｂ軸、約３センチのネジ式の締め輪４のついた差し込み口３の鉛筆挿入部は、深さは約４・５センチ（１４）とし、反対側のキャップ形状部５は約３・５センチ（１５）とし、軸１の中央には約２センチ（１３）の空間部を設ける。
本考案は、以上の構成よりなっている。
これを使用するときは、まず長い鉛筆１６は、差し込みの深い軸から利用し、次の通り
▲１▼Ａ軸の締め輪部（５・５センチ）１１
▲２▼Ｂ軸の締め輪部（４・５センチ）１４
▲３▼Ｂ軸のキャップ部（３・５センチ）１５
▲４▼Ａ軸のキャップ部（２・５センチ）１２
と、鉛筆の消耗に合わせ、段階的に補助軸を変えることによって、短くなった鉛筆も、常に長さ１５センチ前後の使いやすい状態で、鉛筆を使用することができる。また補助軸のキャップ部差し込み口には、脱着できる消しゴム１７をつける。
なお、この補助軸の使用は、児童などには、小さくなっても、ものを大切にする事を教える教材にもなる。
【図面の簡単な説明】
【０００７】
【図１】本考案の斜視図（一部断面図）
【図２】本考案の実施図
【符号の説明】
【０００８】      １  鉛筆補助軸
２  切り込み
３  差し込み口
４  締め輪
５  キャップ形鉛筆止め
１１  約５・５センチ
１２  約２・５センチ
１３  約２センチ
１４  約４・５センチ
１５  約３・５センチ
１６  鉛筆
１７  消しゴム
【図１】
0003128296.tif 000003
【図２】
0003128296.tif 000004
(57)【要約】【課題】  本考案は、日本古来の伝統的衣装である着物生地他を用いて、雅な和風感覚を表現する、行灯を提案するものである。【解決手段】  透明又は半透明の円筒３の外側に紙又は不織布２に張り合わせ、さらにその上に布地又は着物生地１を接合して三層円筒５となし、この両端の内側に補強用リング８を取り付け、この三層円筒５を垂直に配し、その下端側に北山杉を輪切りにした円盤土台６を隙間を空けて設け、円筒内に電灯７を装備した事を特徴とする行灯。【選択図】図１
0003128745.tif 000002
【実用新案登録請求の範囲】
【請求項１】
透明又は半透明の円筒（３）の外側に紙又は不織布（２）に張り合わせ、さらにその上に布地又は着物生地（１）を接合して三層円筒（５）となし、この両端の内側に補強用リング（８）を取り付け、この三層円筒（５）を垂直に配し、その下端側に北山杉を輪切りにした円盤土台（６）を隙間を空けて設け、円筒内に電灯（７）を装備した事を特徴とする行灯。
【考案の詳細な説明】
【技術分野】
【０００１】本考案は、日本間等に適する和風行灯に関する
【背景技術】
【０００２】従来の縦型行灯は、木枠や竹などに和紙を貼り付けた物が一般的で、雅な日本の伝統的感覚を、与える物ではなく、公開特許公報  特開２００２−７９７９９の糸巻きを利用した行灯が提案されているが、これも雅な日本の伝統的感覚を、与える物ではない。
【考案の開示】
【考案が解決しようとする課題】
【０００３】本考案は、日本古来の伝統的衣装である着物生地他を用いて、雅な和風感覚を表現する、行灯を提案するものである。
【課題を解決するための手段】
【０００４】本考案の行灯は透明又は半透明の円筒３の外側に紙又は不織布２に張り合わせ、さらにその上に布地又は着物生地１を接合して三層円筒５となし、この両端の内側に補強用リング８を取り付け、この三層円筒５を垂直に配し、その下端側に北山杉を輪切りにした円盤土台６を隙間を空けて設け、円筒内に電灯７を装備した事を特徴とする。【０００５】本考案で用いる透明又は半透明の円筒３としては、例えばガラス、プラスチックが挙げられ、作りやすい点で、ペットフイルム製が好ましい。【０００６】本考案で用いる紙又は不織布２としては、和紙、薄紙、不織布などが挙げられ、中でも和風感覚を出す為には、手すき和紙が望ましい。【０００７】本考案で用いる布地又は着物生地１としては、日本の伝統的な着物地、帯地、刺繍や模様を設けた布地が挙げられる。【０００８】上記円筒３と紙又は不織布２及び、布地又は着物生地１の張り合わせは通常用いられる接着剤で貼りあわせて三層円筒５にする。【０００９】本考案において、三層円筒５の両端に用いるリング８は、針金、プラスチック、木材、プレス紙板などで作られた輪状体が挙げられる。【００１０】本考案に用いる北山杉製の円盤土台６は北山杉をそのまま輪切りにした円盤状のものであって、その直径が三層円筒５の直径より大きくなっている。寸法として１ｃｍから３ｃｍがデザイン上望ましい。【００１１】本考案において、三層円筒５と円盤土台６との隙間の寸法は、下端から光が漏れて、円盤土台６の断面の年輪の模様が良く見えるために、０．５ｃｍから１．５ｃｍ位が望ましい。【００１２】本考案に用いる電灯７は、低発熱の電球型蛍光ランプで、寿命が長く発熱量が少ない経済的なタイプを使用することが望ましい。
【考案の効果】
【００１３】本考案は上記の様な構成になっているので、伝統的な雅の感覚と、思い出の着物を行灯の形で残すことが出来、その着物を着ていた人や、その時代の背景などを思い出すことが出来る。
【考案を実施するための最良の形態】
【実施例】
【００１４】厚さ０．２ｍｍのフイルムを直径１２ｃｍの円筒３を作りその外周全面に手すき和紙２を接着剤で貼り合わせ、さらにその上の全面に着物生地１を接着剤で貼り合わせて三層円筒５を作りその両端に幅１．５ｃｍのプレス紙板で製作したリング８を取り付けた。【００１５】上記三層円筒５のその下側に直径１４ｃｍ高さ４ｃｍの北山杉を輪切りにした円盤土台６を隙間１ｃｍを空けて設け、円盤土台６の中心部から１５ｃｍの高さに低発熱の電球型蛍光ランプ７を装備した行灯とした。【００１６】このようにして作った行灯は、着物地を通して柔らかな光を生じ、且つ円盤土台６の隙間から漏れる灯りが土台の木目を引立たせ雅な京都らしい落ち着きのある上品な灯りをかもし出す。
【図面の簡単な説明】
【００１７】
【図１】本考案の行灯の一例を示す説明図
【符号の説明】
【００１８】１        布地又は着物生地２        紙又は不織布３        透明又は半透明の円筒５        三層円筒６        円盤土台７        電灯８        補強用リング
【図１】
0003128745.tif 000003